(57)【特許請求の範囲】
【請求項１】
人間の少なくとも身体部分が出入り可能な開口が形成されているとともにその身体部分に温水を噴射するためのノズルが内面に取り付けられているところのシャワー室を備えたシャワー入浴装置において、上記シャワー室の上半部を構成するための上半部材と上記シャワー室の下半部を構成するための下半部材とを有するものであること、および、当該上半部材と下半部材とのそれぞれが、シャワー室外周面を形成するための外殻部材とシャワー室内周面を形成するための内殻部材とを相互に貼り合わせたものからなること、および、当該上半部材と下半部材とが上下に相対配置かつ接合されて上記シャワー室が構成されているものであり、かつ、上記開口に通じるシャワー室内空間が当該シャワー室に介在しているものであることを特徴とするシャワー入浴装置。
【請求項２】
上記内殻部材に畝状の内面凸部が形成されており、ノズルへの配管がこの凸部に沿って当該内殻部材に配設されている請求項１記載のシャワー入浴装置。
【請求項３】
上記外殻部材に少なくとも手掛け部として機能する外面凸部が形成されている請求項１または請求項２記載のシャワー入浴装置。
【請求項４】
上記凸部の内部に充填材が充填されている請求項１〜３いずれかに記載のシャワー入浴装置。
【請求項５】
上半部材の下縁において、下半部材との接合部近傍における上半部材の外殻部材が外側に突き出ているとともに当該上半部材の内殻部材と外殻部材との間には下方に開口する空間が形成されており、上半部材と下半部材とを締結しているボルトの頭部もしくはこのボルトに螺合したナットが露出しないようにこの空間内に収納されている請求項１〜４いずれかに記載のシャワー入浴装置。
【請求項６】
ストレッチャでそのストレッチャ上の身体をシャワー室内に位置させたときに当該ストレッチャを囲むように位置する複数の脚部によって、上記シャワー室が床面から所定の高さのところに保持されており、これら脚部が中空に形成されているとともに該各脚部のストレッチャに対峙する面の内側に補強材が配設されている請求項１〜５いずれかに記載のシャワー入浴装置。
【発明の詳細な説明】
【０００１】
【発明の属する技術分野】
本発明は、温水等をノズルから噴出して人間の身体を洗浄するシャワー入浴装置に関する。
【０００２】
【従来の技術】
高齢者や病気等により自力で入浴できない人達の身体を定期的に洗浄する必要がある。このため、内部にシャワーノズルを備えたシャワー室を設け、そのシャワー室内に身体を入れた状態でノズルから温水等を噴射し、身体を洗浄するシャワー入浴装置が知られている。
【０００３】
この種のシャワー入浴装置では、車いすに座った状態で車いすごとシャワー室内に入るものや、ストレッチャの身体保持部上に身体を横たえた状態でこの身体保持部と共に身体をシャワー室内に入れるもの等がある。
【０００４】
例えば特開２０００−１１６７４６号公報に記載されているように、シャワー室は内殻部材と外殻部材とによって２重構造になるように構成されている。そして、内殻部材と外殻部材との間には空間が形成されており、内殻部材に取り付けられたノズルへの配管がこの空間内に配設されている。
【０００５】
【発明が解決しようとする課題】
上記公報に形成された従来のものでは、内殻部材と外殻部材との間に空間を形成し、その空間内に配管を収納しているので、配管がシャワー室の内外に露出しないという利点はあるものの、使用中にこの空間内に湯水が侵入する。いったん侵入した湯水は容易に排水されない。また、病院等でシャワー入浴装置を使用する場合には利用者が多いため常にシャワー入浴装置が使用される。そのため空間内は常に高湿度でしめった状態になりやすい。また、内部の配管を保守点検する際には外殻部材と内殻部材とを分離しなければならず、保守点検を容易に行えない。更に、外殻部材の大きさの割に内殻部材によって形成されるシャワー室としての空間が狭くなるばかりか、外部からの衝撃は内殻部材または外殻部材の一方にのみ作用するのでこれら内殻部材や外殻部材の強度をあげるため肉厚に成形しなければならない。
【０００６】
なお、内殻部材や外殻部材は一般にＦＲＰ（繊維強化プラスチック）製造されている。ＦＲＰは例えば特開２０００−１０２４８８号公報に記載されているように、オーバーコートされた表面は型によって成形されるので比較的なめらかであるが、裏面は積層したクロスの形状が浮き出ており、裏面には凹凸が多い。従って、仮に２枚のＦＲＰ板の裏面同士をあわせても両裏面の凹凸のためＦＲＰ板の間には隙間が生じる。
【０００７】
そこで本発明は、上記の問題点に鑑み、シャワー室を構成する内殻部材と外殻部材との間に空間を形成することにより生じる上記不具合を解消することのできるシャワー入浴装置を提供することを課題とする。
【０００８】
【課題を解決するための手段】
上記課題を解決するため本発明のものは、人間の少なくとも身体部分が出入り可能な開口が形成されているとともにその身体部分に温水を噴射するためのノズルが内面に取り付けられているところのシャワー室を備えたシャワー入浴装置において、上記シャワー室の上半部を構成するための上半部材と上記シャワー室の下半部を構成するための下半部材とを有するものであること、および、当該上半部材と下半部材とのそれぞれが、シャワー室外周面を形成するための外殻部材とシャワー室内周面を形成するための内殻部材とを相互に貼り合わせたものからなること、および、当該上半部材と下半部材とが上下に相対配置かつ接合されて上記シャワー室が構成されているものであり、かつ、上記開口に通じるシャワー室内空間が当該シャワー室に介在しているものであることを特徴とする。
【０００９】
本発明では、シャワー室を構成する内殻部材と外殻部材とを相互に貼り合わせているので、両者の間に空間が形成されない。このため、内殻部材と外殻部材との間に湯水が侵入せず、シャワー室内を広く確保でき、外部からの衝撃に対する強度を上げることができる。なお、内殻部材と外殻部材とを貼り合わせる際に、ＦＲＰに使用した樹脂を接着剤として用いてもよく、あるいは別途の接着剤を用いてもよいが、いずれにせよこの接着剤が内殻部材と外殻部材との間に充填され、内殻部材と外殻部材との間に隙間が残存しない。
【００１０】
ただし、内殻部材と外殻部材との間に空間を形成しないと、ノズルへの配管をシャワー室の内部に配設しなければならない場合が生じる。その場合に、配管をシャワー室の内壁に単に配管すると、保守点検は容易になるものの、配管がシャワー室の内壁から突き出し、シャワー室内の人が手や足をこの配管にぶつけるおそれが生じる。
【００１１】
そこで、上記内殻部材に、畝状の内面凸部を形成すると共に、この凸部に沿わせてノズルへの配管を配設すれば、配管が内面突起に隠され、シャワー室の内壁から突き出すことがない。
【００１２】
また、上記外殻部材に少なくとも手掛け部として機能する外面凸部を形成してもよい。
【００１３】
このように、内面凸部や外面凸部を設ける際、両凸部の内部を中空にすると、その部分の強度が、内殻部材と外殻部材とが相互に貼り合わされている他の部分の強度より低下する。そこで、上記内面凸部および外面凸部の内部に充填材を充填すれば、両凸部の強度の低下が防止できる。
【００１４】
ところで、上記シャワー室は少なくとも上下に分割されており、上半部材の下縁であって下半部材との接合部分近傍の外殻部材が外側に突き出し、内殻部材と外殻部材との間に下方に開口する空間を形成すると共に、上半部材と下半部材とを締結するボルトの頭部もしくはこのボルトに螺合するナットをこの空間内に収納し、ボルトの頭部もしくはナットを露出させないように構成してもよい。
【００１５】
また、上記シャワー室は、シャワー室に身体を出入りさせるストレッチャが身体をシャワー室内に位置させる状態で、このストレッチャを囲むように位置する複数の脚部によって床面から所定の高さに保持されており、これら脚部を中空に形成すると共に、脚部のストレッチャに対峙する面の内側に補強材を配設してもよい。
【００１６】
シャワー室を脚部によって所定の高さに保持すると、シャワー入浴装置全体の重心が低い方が全体として安定する。また、ストレッチャが脚部に衝突した場合に脚部が破損しないように脚部の強度を向上させる必要がある。上述のように補強材を脚部のストレッチャに対峙する面の内側に配設すると、脚部の重量が増加しシャワー入浴装置全体の重心を下げることができる。また、ストレッチャが衝突する可能性のある部分が補強され強度が向上する。
【００１７】
【発明の実施の形態】
図１から図３を参照して、１は本発明によるシャワー入浴装置の一実施の形態である。このシャワー入浴装置１は前方に開口２０を備えたシャワー室２と、このシャワー室２を床面から所定の高さに保持する３本の脚部３１，３２，３３とを備えている。
【００１８】
この開口２０は、図２に示すストレッチャＳの身体保持部Ｓ１に被介護者Ｃが寝た状態でシャワー室２に出入りするためのものである。なお、この身体保持部Ｓ１は昇降することができる。
【００１９】
シャワー室２の左右には大きな介護窓２３が形成されており、被介護者Ｃがシャワー室２内に入ると、介護者Ｎはこの介護窓２３から上半身をシャワー室２内に入れて被介護者Ｃの身体を洗うことができる。なお、シャワー室２内には後述するノズルが多数設けられており、これらノズルから温水を噴射して被介護者Ｃの身体を洗浄する際は、開口２０および介護窓２３は各カーテン２２，２４で閉められ、水しぶきがシャワー室２から外へ出ないようにすると共に、被介護者Ｃの身体を外部から隠すように構成されている。
【００２０】
なお、介護者Ｎが被介護者Ｃの身体を洗う際にはシャワーヘッド４を用いることができる。このシャワーヘッド４はシャワー室２の左右に各取り付けられており、上記ノズルに供給される温水とは別系統で温度管理される温水が供給されるように構成されている。
【００２１】
図４に示すように、シャワー室２はさらに上半部材２１と下半部材２２とから構成されており、相互にボルトによって締結されている。また、脚部３１，３２は連結板３ａによって相互に連結された状態で下半部材２２に締結され、脚部３３は上部に取り付けられたブラケット板３３ｄを介して下半部材２２に締結されている。
【００２２】
図５に示すように、上半部材２１は外殻部材２１ａと内殻部材２１ｂとを貼り合わせ、その後額縁部２１ｃを接着することにより形成されている。これら外殻部材２１ａ、内殻部材２１ｂ、額縁部２１ｃは共にＦＲＰによって形成されており、各表面となる面にはオーバーコートが施されている。ところで、外殻部材２１ａと内殻部材２１ｂとを貼り合わせるさいに、本実施の形態では、ＦＲＰに用いた樹脂を接着剤として、外殻部材２１ａと内殻部材２１ｂとの合わせ面に塗布したが、別途の接着剤を用いてもよい。そして、接着後は外殻部材２１ａと内殻部材２１ｂとの間に接着剤が充填され、微少な隙間が形成されないようにした。
【００２３】
ところで、内殻部材２１ｂの天井部分左右に、前後方向に長手の畝状の内面凸部２１ｄを形成し、この内面凸部２１ｄがシャワー室２の内面に突出するようにした。ただし、内殻部材２１ｂに単に内面凸部２１ｄを設けたのでは内面凸部２１ｄ内が空洞になり強度が不足する。そこで、外殻部材２１ａと内殻部材２１ｂとを接合する前に内面凸部２１ｄの前方の開口を栓部材２１ｅでせき止めて内面凸部２１ｄ内に補強材を充填することとした。
【００２４】
図６に示すように内面凸部２１ｄの内部は補強材５で充填され内部に空間が形成されない。なお、本実施の形態では、ＦＲＰの廃材を細かく粉砕し、硬化前の樹脂と混練して内面凸部２１ｄ内に流し込み、樹脂を硬化させることにより補強材５として作用するようにした。
【００２５】
上述のようにシャワー室２内にはノズル部６１を備えたノズル部材６を複数配設し各ノズル部材６を配管７で連結する必要がある。本発明ではその配管７を内面突起２１ｄに沿わせて取り付け、ノズル部材６と共にカバー２１ｇで覆い隠すようにした。このように構成することにより、シャワー室２内部に配管７やノズル部材６が露出することがない。なお、２１ｆは板材で形成されたクリップであり、ノズル部材６を挟持するものである。
【００２６】
一方、下半部材２２は上半部材２１と同様に外殻部材２２ａと内殻部材２２ｂと額縁部２２ｃとから構成されており、これら３つの部材は各ＦＲＰで形成されている。そして表面になる面にはオーバーコート処理が施されている。ただし、下半部材２２の場合、外殻部材２２ａに前後方向に長手の外面凸部２２ｄが形成されている。この外面凸部２２ｄは手掛け部として形成するものであって、シャワー室２やシャワー入浴装置１を移動させる際に手を掛けやすくするためのものである。
【００２７】
そのため、外面凸部２２ｄは強度が要求されるので、内面凸部２１ｄの場合と同じく栓部材２２ｅで外面凸部２２ｄをせき止め、補強材５を充填するようにした。また、外殻部材２２ａに矩形の凹部２２ｇを形成し、その凹部２２ｇに１対のボルト２２ｈを備えたボルト板２２ｆをセットした状態で外殻部材２２ａと内殻部材２２ｂとを接合するようにした。
【００２８】
図８に示すように、外面凸部２２ｄは補強材５で充填される。なお、ボルト２２ｈは上記連結板３ａをシャワー室２に締結するためのものであり、ボルト板２２ｆを外殻部材２２ａと内殻部材２２ｂとで挟むことにより、内殻部材２２ｂには貫通口を設けることなくボルト２２ｈをシャワー室２の下面に突設させることができる。
【００２９】
図９および図１０に示すように、上半部材２１の外殻部材２１ａは、下端部分が内殻部材２１ｂから離れて空間２９を形成している。従って、下半部材２２の外殻部材２２ａに形成した貫通口２８にボルト２５を貫通させ、上半部材２１の内殻部材２１ｂと下半部材２２の外殻部材２２ａとを相互に締結した際、ボルト２５の頭部が空間２９内に位置して外部に対して隠れるようにした。なお、２７はボルト２５に螺合するナット２６を覆い隠す樹脂製のキャップである。
【００３０】
また、脚部３１，３２，３３は共に横方向に合わさる１組の殻部材から構成される。後方に取り付けられる脚部３３を例として図１１および図１２を用いて説明する。この脚部３３は前側に位置する前殻部材３３ａと、この前殻部材３３ａに対して後方から合わさる後殻部材３３ｂとから構成されている。そしてこれら前後殻部材３３ａ，３３ｂは共に表面がオーバーコートされたＦＲＰで形成されている。ただし、前殻部材３３ａはストレッチャＳの出し入れの際にストレッチャＳが衝突するおそれがあり、中空のままでは破損するおそれがある。
【００３１】
そこで、図１１（ａ）に示すように、前殻部材３３ａを横にして、ブラケット板３３ｄおよびレベラー取付板３３ｃで上下部分をせき止め、前殻部材３３ａ内に補強材５を流し込んだ。そして、この補強材５が十分に硬化した後、前殻部材３３ａに後殻部材３３ｂを接合した（同図（ｂ））。そしてレベラー取付板３３ｃにレベラー３３ｅを取り付けて脚部３３が完成する。
【００３２】
なお、実際には図１２に示すように、前殻部材３３ａの接合部分に位置決め片３３ｇが取り付けられており、後殻部材３３ｂを前殻部材３３ａに合わせる際の位置決めが容易に行えるようにした。また、脚部３３の上部に前後に抜ける空間３３ｆを形成し、ノズル等への配管がこの空間３３ｆを通って配設できるようにした。
【００３３】
脚部３３を例に説明したが、図１３に示すように、正面から見て右側の脚部３１の場合には左右に分割して内側殻部材３１ａに補強材５を充填し、その後外側殻部材３１ｂを接合するようにした。また、左側の脚部３２も同様に内側に補強材５が位置するように補強材５を充填した。これによりストレッチャＳが出し入れの際に左右の脚部３１，３２に衝突しても内側殻部材３１ａが破損することが防止される。
【００３４】
本実施の形態では、図１４に示すように、外部から２系統の配管を敷設した。
本実施の形態では、シャワー室２の上半部材２１の内面に左右各６個のノズル部材６を配設すると共に下半部材２２に前後方向に４つのノズル部材８を併設した。そしてこれら合計１６個のノズル部材６，８には一方の系統である配管７を介して温水を供給するようにした。ところで、ノズル部材６への配管７は上述のようにシャワー室２の内側に配設した。そしてノズル部材８への配管７はシャワー室２の下面外側に配設した。
【００３５】
また、他方の系統である配管７ａも同じくシャワー室２の下面外側に配設し、前部で左右に分岐して各シャワーヘッド４に温水が供給されるようにした。このように温水供給の配管を２系統にしたことにより、各ノズル部材６，８に供給される温水の温度とシャワーヘッド４に供給される温水の温度を別個に調節することができる。
【００３６】
ところで、手掛け部として形成した外面凸部２２ｄは手掛け部として機能するほか、ノズル部材８への配管７やシャワーヘッド４への配管７ａを外部から見えにくくする目隠しとしても機能し、さらに、これら配管７・７ａが外部の障害物に引っかかることを防止するガードとしても機能する。
【００３７】
【発明の効果】
以上の説明から明らかなように、本発明は、シャワー室を構成する内殻部材と外殻部材との間に隙間が形成されないので、内殻部材と外殻部材に湯水等が侵入せず、シャワー室内の空間を広く確保でき、外部からの衝撃に対する強度を上げることができる。また配管が内部空間内に設けられている従来のものより配管の保守点検作業を容易に行うことができる。
【図面の簡単な説明】
【図１】本発明の一実施の形態の構成を示す図
【図２】ストレッチャの形状を示す斜視図
【図３】シャワー入浴装置の使用状態を示す図
【図４】シャワー入浴装置の構成を示す分解図
【図５】上半部材の構成を示す分解図
【図６】内面凸部の形状を示す断面図
【図７】下半部材の構成を示す分解図
【図８】下半部材の構造を示す断面図
【図９】上半部材と下半部材との接合部分を示す斜視図
【図１０】同接合部分を示す断面図
【図１１】脚部の作成工程を示す図
【図１２】  XII-XII断面図
【図１３】他の脚部を示す図
【図１４】温水の配管状態を示す図
【符号の説明】
１  シャワー入浴装置
２  シャワー室
４  シャワーヘッド
５  補強材
６  ノズル部材
７  配管
７ａ  配管
８  ノズル部材
３１  脚部
３２  脚部
３３  脚部
Ｓ  ストレッチャ
【図１】
0003710770.tif 000002
【図２】
0003710770.tif 000003
【図３】
0003710770.tif 000004
【図４】
0003710770.tif 000005
【図５】
0003710770.tif 000006
【図６】
0003710770.tif 000007
【図７】
0003710770.tif 000008
【図８】
0003710770.tif 000009
【図９】
0003710770.tif 000010
【図１０】
0003710770.tif 000011
【図１１】
0003710770.tif 000012
【図１２】
0003710770.tif 000013
【図１３】
0003710770.tif 000014
【図１４】
0003710770.tif 000015